(57)【要約】【課題】使い勝手の低下を抑止しつつ、様々な機能を提供する。【解決手段】無線通信装置は、表示部と、操作検出部と、音声通話情報と通信情報とを本体装置との間において送受信するタブレット通信部と、自装置が本体装置に保持されているか否かが検出された結果を示す保持情報を取得するタブレット保持情報取得部と、タブレット保持情報取得部が取得した保持情報に基づいて、自装置の動作を変更するタブレット制御部とを備えるタブレット装置と、タブレット装置を保持する保持部と、音声通話情報及び通信情報の少なくとも一方の情報を、タブレット通信部との間において送受信する本体通信部と、本体制御部と、受話器とを備える本体装置と、無線基地局との間において無線通信回線を介した音声通話及びデータ通信を行う無線通信モジュールと、保持部にタブレット装置が保持されているか否かを検出する保持検出部とを備える。【選択図】図１
2016178510.tif 000002
【特許請求の範囲】
【請求項１】
本体装置と、前記本体装置と通信するタブレット装置とを備え、
前記タブレット装置は、
画像を表示する表示部と、
前記表示部に表示される操作用画像に対する操作を検出する操作検出部と、
無線通信回線を介した音声通話に用いられる音声通話情報と、前記無線通信回線を介したデータ通信に用いられる通信情報とを、前記本体装置との間において送受信するタブレット通信部と、
自装置が前記本体装置に保持されているか否かが検出された結果を示す保持情報を取得するタブレット保持情報取得部と、
自装置の各部を制御し、前記タブレット保持情報取得部が取得した前記保持情報に基づいて、自装置の動作を変更するタブレット制御部と、
を備え、
前記本体装置は、
前記タブレット装置を保持する保持部と、
前記音声通話情報及び前記通信情報の少なくとも一方の情報を、前記タブレット通信部との間において送受信する本体通信部と、
自装置の各部を制御する本体制御部と、
取得した音声情報を前記本体制御部に供給するとともに、前記本体制御部から供給される情報に基づく音を出力する受話器と、
を備え、
無線基地局との間において前記無線通信回線を介した前記音声通話及び前記データ通信を行う無線通信モジュールと、
前記保持部に前記タブレット装置が保持されているか否かを検出する保持検出部と、
を備える無線通信装置。
【請求項２】
前記タブレット装置は、前記音声通話又は前記データ通信の着信音を出力するタブレット音出力部を備え、
前記タブレット制御部は、前記タブレット音出力部から出力する着信音を前記保持情報に応じて変更する、
請求項１に記載の無線通信装置。
【請求項３】
前記タブレット制御部は、前記タブレット音出力部から出力する着信音の鳴動状態をオンとオフのうちのいずれかに前記保持情報に応じて切り換える、
請求項２に記載の無線通信装置。
【請求項４】
前記タブレット制御部は、前記タブレット音出力部から出力する着信音の種類を前記保持情報に応じて変更する、
請求項２又は３に記載の無線通信装置。
【請求項５】
前記タブレット制御部は、前記表示部に表示させる画像を前記保持情報に応じて変更する、
請求項１から４のうちいずれか一項に記載の無線通信装置。
【請求項６】
前記本体装置は、前記保持情報を取得する本体保持情報取得部を備え、
前記本体制御部は、前記本体保持情報取得部が取得した前記保持情報に基づいて、自装置の動作を変更する、
請求項１から５のうちいずれか一項に記載の無線通信装置。
【請求項７】
前記本体装置は、前記音声通話又は前記データ通信の着信音を出力する本体音出力部を備え、
前記本体制御部は、前記本体音出力部から出力する着信音を前記保持情報に応じて変更する、
請求項６に記載の無線通信装置。
【請求項８】
前記本体制御部は、前記本体音出力部から出力する着信音の鳴動状態をオンとオフのうちのいずれかに前記保持情報に応じて切り換える、
請求項７に記載の無線通信装置。
【請求項９】
前記本体制御部は、前記本体音出力部から出力する着信音の種類を前記保持情報に応じて変更する、
請求項７又は８に記載の無線通信装置。
【発明の詳細な説明】
【技術分野】
【０００１】
本発明の実施形態は、無線通信装置に関する。
【背景技術】
【０００２】
従来、本体から取り外し可能な操作表示部を備える据置型電話機が知られている（例えば、特許文献１を参照）。
【先行技術文献】
【特許文献】
【０００３】
【特許文献１】特開平１０−３２２４４２号公報
【発明の概要】
【発明が解決しようとする課題】
【０００４】
この従来の据置型電話機においては、この操作表示部が液晶画面付きのタッチパネルを備えている場合がある。この場合、従来の据置型電話機においては、通話などの操作を、このタッチパネルによって行うことがある。しかしながら、この従来のタッチパネル操作式の据置型電話機では、タッチパネルの操作に慣れていないと、使い勝手が悪いという問題があった。一方で、電話機がタッチパネルを備えていれば、通話開始時に電話帳を表示する機能を提供したり、ネットワークを介した情報検索機能を提供することができる。
【０００５】
本発明は、使い勝手の低下を抑止しつつ、様々な機能を提供することができる無線通信装置を提供することを目的とする。
【課題を解決するための手段】
【０００６】
本発明の一実施形態は、本体装置と、前記本体装置と通信するタブレット装置とを備え、前記タブレット装置は、画像を表示する表示部と、前記表示部に表示される操作用画像に対する操作を検出する操作検出部と、無線通信回線を介した音声通話に用いられる音声通話情報と、前記無線通信回線を介したデータ通信に用いられる通信情報とを、前記本体装置との間において送受信するタブレット通信部と、自装置が前記本体装置に保持されているか否かが検出された結果を示す保持情報を取得するタブレット保持情報取得部と、自装置の各部を制御し、前記タブレット保持情報取得部が取得した前記保持情報に基づいて、自装置の動作を変更するタブレット制御部と、を備え、前記本体装置は、前記タブレット装置を保持する保持部と、前記音声通話情報及び前記通信情報の少なくとも一方の情報を、前記タブレット通信部との間において送受信する本体通信部と、自装置の各部を制御する本体制御部と、取得した音声情報を前記本体制御部に供給するとともに、前記本体制御部から供給される情報に基づく音を出力する受話器と、を備え、無線基地局との間において前記無線通信回線を介した前記音声通話及び前記データ通信を行う無線通信モジュールと、前記保持部に前記タブレット装置が保持されているか否かを検出する保持検出部と、を備える無線通信装置である。
【０００７】
また、本発明の一実施形態の無線通信装置において、前記タブレット装置は、前記音声通話又は前記データ通信の着信音を出力するタブレット音出力部を備え、前記タブレット制御部は、前記タブレット音出力部から出力する着信音を前記保持情報に応じて変更する。
【０００８】
また、本発明の一実施形態の無線通信装置において、前記タブレット制御部は、前記タブレット音出力部から出力する着信音の鳴動状態をオンとオフのうちのいずれかに前記保持情報に応じて切り換える。
【０００９】
また、本発明の一実施形態の無線通信装置において、前記タブレット制御部は、前記タブレット音出力部から出力する着信音の種類を前記保持情報に応じて変更する。
【００１０】
また、本発明の一実施形態の無線通信装置において、前記タブレット制御部は、前記表示部に表示させる画像を前記保持情報に応じて変更する。
【００１１】
また、本発明の一実施形態の無線通信装置において、前記本体装置は、前記保持情報を取得する本体保持情報取得部を備え、前記本体制御部は、前記本体保持情報取得部が取得した前記保持情報に基づいて、自装置の動作を変更する。
【００１２】
また、本発明の一実施形態の無線通信装置において、前記本体装置は、前記音声通話又は前記データ通信の着信音を出力する本体音出力部を備え、前記本体制御部は、前記本体音出力部から出力する着信音を前記保持情報に応じて変更する。
【００１３】
また、本発明の一実施形態の無線通信装置において、前記本体制御部は、前記本体音出力部から出力する着信音の鳴動状態をオンとオフのうちのいずれかに前記保持情報に応じて切り換える。
【００１４】
また、本発明の一実施形態の無線通信装置において、前記本体制御部は、前記本体音出力部から出力する着信音の種類を前記保持情報に応じて変更する。
【００１５】
また、本発明の一実施形態の無線通信装置において、前記タブレット装置は、前記表示部が視認可能な状態か否かを判定する表示部状態判定部を備え、前記タブレット制御部は、前記音声通話の着信があった場合、当該着信を示す複数の画像の中から前記表示部状態判定部の判定結果に応じた画像を前記表示部に表示させる画像として選択する。
【００１６】
また、本発明の一実施形態の無線通信装置において、表示部状態判定部は、前記表示部が備えるバックライトが点灯されている場合、前記表示部が視認可能な状態であると判定し、前記表示部が備えるバックライトが消灯されている場合、前記表示部が視認可能な状態ではないと判定する。
【００１７】
また、本発明の一実施形態の無線通信装置において、表示部状態判定部は、前記表示部に画像が表示されている場合、前記表示部が前記視認可能な状態であると判定し、前記表示部に画像が表示されていない場合、前記表示部が前記視認可能な状態ではないと判定する。
【発明の効果】
【００１８】
本発明によれば、使い勝手の低下を抑止しつつ、様々な機能を提供することができる無線通信装置を提供することができる。
【図面の簡単な説明】
【００１９】
【図１】本実施形態の無線通信装置の外観構成の一例を示す模式図である。
【図２】本実施形態の無線通信装置の機能構成の一例を示すブロック図である。
【図３】本実施形態の無線通信装置による処理の流れの一例を示す流れ図である。
【図４】本実施形態の無線通信装置による脱着状態判定処理の流れの一例を示す流れ図である。
【図５】本実施形態の無線通信装置の動作例１におけるタブレット装置の画面制御の流れの一例を示す図である。
【図６】本実施形態の表示部に表示される電話メニュー画像及びホーム画像の具体例を示す模式図である。
【図７】本実施形態の表示部に表示される電話メニュー画像、及びホーム画像に重ねて表示される通話中画像の具体例を示す模式図である。
【図８】本実施形態の無線通信装置の動作例３におけるタブレット装置の着信音制御の流れの一例を示す図である。
【発明を実施するための形態】
【００２０】
［実施形態］
以下、図を参照して本実施形態の無線通信装置１について説明する。
図１は、本実施形態の無線通信装置１の外観構成の一例を示す模式図である。本実施形態の無線通信装置１は、他の通信装置２との間における音声通話機能及びデータ通信機能を提供する。通信装置２とは、例えば、固定電話、携帯電話、スマートフォンである。無線通信装置１は、本体装置１０と、タブレット装置２０とを備えている。本体装置１０とタブレット装置２０のいずれか一方又は両方には、無線通信モジュール２０５が備えられている。無線通信装置１は、無線通信モジュール２０５によって、無線基地局３及びネットワークＮを介して通信装置２と接続される。
【００２１】
無線通信モジュール２０５は、電話用の音声情報と、データ通信用の情報とを同一の回線で送受信可能な高速データ通信回線に接続が可能である。高速データ通信回線とは、例えば、ＬＴＥ（Long Term Evolution）通信網である。高速データ通信回線は、画像や文字等のデジタル情報の送受信に加えて、音声通話を可能にするサービス（ＶｏＬＴＥ；Voice over LTE）を提供する。すなわち、無線通信モジュール２０５は、無線基地局３との間において無線通信回線を介した音声通話及びデータ通信を行う。
【００２２】
無線通信モジュール２０５には、無線通信モジュール２０５毎に固有の識別情報が付与されている。無線基地局３は、この識別情報と電話番号とを紐付けする。通信装置２は、この電話番号によって音声通話又はデータ通信の相手方を特定する。例えば、無線通信装置１を相手方として通信を行う場合、通信装置２は、無線通信モジュール２０５の識別情報に紐付けされた電話番号を使用して通信を開始する。なお、以下の説明においては、無線通信モジュール２０５の識別情報に紐付けされた電話番号を、単に、無線通信モジュール２０５の電話番号とも、無線通信装置１の電話番号とも記載する。
【００２３】
ここで、無線通信モジュール２０５の識別情報には、固定電話の電話番号が紐付けされている。具体的には、無線通信モジュール２０５の識別情報には、無線通信装置１が設置されている地域の市外局番から始まる電話番号が紐付けされている。例えば、無線通信装置１が東京２３区内の地域に設置されている場合には、無線通信モジュール２０５の識別情報には、“東京０３”から始まる電話番号が紐付けされている。したがって、通信装置２は、固定電話となんら変わらない手順によって、無線通信装置１に電話をかけることができる。つまり、無線通信装置１は、固定電話の使い勝手を踏襲しつつ、高速データ通信回線を使用した機能を提供することができる。
【００２４】
なお、無線通信装置１は、更に子機３０を備えていてもよい。子機３０は、ＤＥＣＴ（Digital Enhanced Cordless Telecommunications）等の規格に基づく無線通信によって本体装置１０と接続される。また、子機３０は、二次電池を備えており、子機充電スタンド３１に装着された状態において、充電される。本実施形態において、子機３０の詳細な説明は省略する。
【００２５】
［本体装置の構成］
次に、本体装置１０及びタブレット装置２０の構成の詳細について、図１及び図２を参照して説明する。まず、本体装置１０の構成の詳細について説明する。
図２は、本実施形態の無線通信装置１の機能構成の一例を示すブロック図である。本体装置１０は、保持部１０１と、本体制御部１０３と、本体通信部１０４と、本体記憶部１０６と、本体音出力部１０８と、保持検出部１０９と、受話器１１０と、受話器保持検出部１１１と、受話器保持部１１２とを備えている。この本体装置１０は、タブレット装置２０のクレードルとしての機能を有している。ここで、クレードルとは、装着された装置（ここでは、タブレット装置２０）を保持する保持機能、装着された装置を充電する充電機能、装着された装置との間において情報を授受する通信機能などを備える装置である。つまり、無線通信装置１の本体装置１０とタブレット装置２０とは、脱着が可能である。
【００２６】
保持部１０１は、タブレット装置２０が装着された場合に、装着されたタブレット装置２０を保持する。具体的には、保持部１０１は、タブレット装置２０の外形寸法に応じた保持部材（不図示）を備えている。この保持部材は、タブレット装置２０の筐体の一部、又は全部を保持する。また、保持部１０１は、タブレット装置２０を保持した状態において、タブレット装置２０が備える表示画面の一部、又は全部が視認可能な形状に設計されている。これにより、保持部１０１は、タブレット装置２０を保持した状態においても、無線通信装置１のユーザに対して、タブレット装置２０が表示する画像を提供することができる。
【００２７】
保持検出部１０９は、タブレット装置２０が保持部１０１に保持されているか否かを検出する。具体的には、保持検出部１０９は、タブレット装置２０が保持部１０１に装着されているか否かを検出するコンタクトスイッチ（不図示）を備えている。保持検出部１０９は、コンタクトスイッチが出力するＯＮ又はＯＦＦの信号を検出することにより、タブレット装置２０が保持部１０１に保持されているか否かを検出する。保持検出部１０９は、検出した結果を本体制御部１０３に出力する。
【００２８】
なお、ここでは、保持検出部１０９が機械式のスイッチによってタブレット装置２０が保持部１０１に保持されているか否かを検出する場合を一例にして説明したが、これに限られない。例えば、本体装置１０と、タブレット装置２０とが電気接点（不図示）を介して通信する場合がある。この場合には、保持検出部１０９は、この電気接点を介して、本体装置１０と、タブレット装置２０とが接続されているか否かに基づいて、タブレット装置２０が保持部１０１に保持されているか否かを検出してもよい。
【００２９】
また、ここでは、本体装置１０が保持検出部１０９を備えている場合を一例にして説明したが、これに限られない。タブレット装置２０が、保持検出部（不図示）を備えている構成であってもよい。
【００３０】
また、本体制御部１０３は、タブレット装置２０が保持部１０１に装着されたことが検出されると、本体装置１０とタブレット装置２０との間の通信のペアリングを行う。具体的には、本体制御部１０３は、保持検出部１０９がタブレット装置２０の保持を検出すると、タブレット装置２０に本体装置１０の識別情報を送信する。これにより、本体装置１０と、タブレット装置２０とがペアリングされる。
なお、ここでは、本体装置１０からタブレット装置２０に対して識別情報を送信する場合を一例にして説明したが、タブレット装置２０から本体装置１０に対して識別情報を送信してもよい。
また、本体制御部１０３は、タブレット装置２０が保持部１０１から取り外されたことが検出された場合に、本体装置１０とタブレット装置２０との間の通信のペアリングを行ってもよい。
【００３１】
本体制御部１０３は、ＣＰＵ（Central Processing Unit）を備えており、本体装置１０が備える各部を制御する。
本体記憶部１０６には、本体制御部１０３が使用する各種の情報が記憶される。
【００３２】
受話器１１０は、マイクとスピーカとを備えており、マイクによって取得した音声情報を本体制御部１０３に供給するとともに、本体制御部１０３から供給される情報に基づく音をスピーカから出力する。この受話器１１０は、無線通信モジュール２０５を介した音声通話に用いられるほか、音声認識によって無線通信装置１を操作する場合には、音声認識用の音を取得するマイクとしても用いられる。
【００３３】
この受話器１１０は、いわゆる固定電話の受話器と同様の外形を備える。具体的には、受話器１１０は、ユーザによって把持される把持部と、両端部とを備えている（いずれも不図示）。受話器１１０は、この両端部のうち、一方の端部にマイクを備え、他方の端部にスピーカを備える。また、この受話器１１０の把持部は、マイクをユーザの口元に近づけた場合に、スピーカがこのユーザの耳元に近づくような寸法により設計されている。したがって、本実施形態の無線通信装置１によれば、固定電話となんら変わらない操作によって、電話をかけることができる。つまり、無線通信装置１は、固定電話の使い勝手を踏襲しつつ、高速データ通信回線を使用した機能を提供することができる。
【００３４】
受話器保持部１１２は、受話器１１０を保持する。具体例を説明すると、受話器保持部１１２は、受話器１１０の外形寸法に応じた形状の窪みを、本体装置１０の一部に備えている。受話器保持部１１２は、この窪みに載置された受話器１１０が重力によって本体装置１０から脱落しないように、受話器１１０を保持する。
【００３５】
受話器保持検出部１１１は、受話器１１０が受話器保持部１１２に保持されているか否かを検出する。具体的には、受話器保持検出部１１１は、受話器検出フック（不図示）を備えている。この受話器検出フックは、受話器１１０が受話器保持部１１２に載置された場合に受話器１１０の筐体が接する位置に備えられている。受話器保持検出部１１１は、受話器検出フックが出力するＯＮ又はＯＦＦの信号を検出することにより、受話器１１０が受話器保持部１１２に保持されているか否かを検出する。受話器保持検出部１１１は、検出した信号を本体制御部１０３に出力する。
【００３６】
本体音出力部１０８は、スピーカを備えており、本体制御部１０３の制御に基づいて、音を出力する。この本体音出力部１０８が出力する音には、電話や電子メールの着信音が含まれる。
【００３７】
本体通信部１０４は、無線通信又は有線通信によって、タブレット装置２０と通信する。この一例では、タブレット装置２０が本体装置１０との無線通信機能を備えている場合について説明する。この場合、本体通信部１０４は、無線通信によってタブレット装置２０と通信する。この無線通信には、種々のプロトコルが適用可能である。
【００３８】
［タブレット装置の構成］
次に、タブレット装置２０の構成の詳細について説明する。タブレット装置２０は、上述した無線通信モジュール２０５に加え、表示部２０１と、操作検出部２０２と、タブレット制御部２０３と、タブレット通信部２０４と、タブレット記憶部２０６とを備えている。
【００３９】
タブレット制御部２０３は、ＣＰＵを備えており、タブレット装置２０が備える各部を制御する。
タブレット記憶部２０６には、タブレット制御部２０３が使用する各種の情報が記憶される。
【００４０】
表示部２０１は、液晶ディスプレイを備えており、文字や写真などの画像を表示する。以下では、一例として、表示部２０１がバックライトを備えている場合について説明する。この場合、表示部２０１は、バックライトによって液晶面が照明される。液晶が透過型の場合、バックライトは、液晶の裏面から照明してもよい。また、液晶が反射型の場合、バックライトは、液晶の端面方向から照明してもよい。なお、表示部２０１は、反射型の液晶ディスプレイを備え、バックライトを備えていない構成であってもよい。この表示部２０１が表示する画像には、着信を待ち受けている場合に表示される電話メニュー画像ＰＴｍ、電話を発信する際に表示される電話帳画像ＰＴｄ、データ通信の操作メニューを示すホーム画像ＰＨｍ、音声通話中であることを示す通話中画像ＰＣｌが含まれる。この各種画像のうち、ホーム画像ＰＨｍの一例を図１に示す。ホーム画像ＰＨｍには、電話の発信、ＳＮＳ（Social Networking Service）用アプリケーションの起動、及びインターネット接続アプリケーションの起動の操作を受け付ける操作用画像が含まれる。以下の説明において、これらの操作用画像を、アイコン画像とも記載し、又は単にアイコンとも記載する。すなわち、ホーム画像ＰＨｍには、電話アイコンＰ１と、ＳＮＳアイコンＰ２と、インターネットアイコンＰ３とが含まれる。また、ホーム画像ＰＨｍには、ニュースアイコンＰ４と、地図アイコンＰ５と、ショッピングアイコンＰ６とが含まれる。
【００４１】
操作検出部２０２は、表示部２０１に表示される操作用画像に対する操作を検出する。具体的には、操作検出部２０２は、表示部２０１を覆う透明なタッチパネルセンサを備えており、ユーザの操作を検出する。
【００４２】
このユーザの操作には、様々な種類がある。操作の種類の一例には、タップ操作と、ドラッグ操作と、ピンチ操作とがある。
【００４３】
なお、ここでは、ユーザが、指によってタッチパネルセンサに触れることにより操作する場合を一例にして説明したが、これに限られない。例えば、ユーザは、指に代えて、操作用の指示棒などを用いて操作してもよい。
【００４４】
タブレット通信部２０４は、無線通信又は有線通信によって、本体装置１０の本体通信部１０４と通信する。この一例では、タブレット通信部２０４と本体通信部１０４とが、無線通信によって通信する場合について説明する。この無線通信によって送受信される情報には、音声通話情報と、通信情報とが含まれる。
音声通話情報とは、音声通話に用いられる情報である。より具体的には、この音声通話情報とは、無線通信装置１と通信装置２との間における、無線通信回線を介した音声通話に用いられる情報である。
通信情報とは、無線通信回線を介したデータ通信に用いられる情報である。より具体的には、通信情報とは、無線通信装置１と通信装置２との間における、無線通信回線を介したデータ通信に用いられる情報である。すなわち、タブレット通信部２０４は、無線通信回線を介した音声通話に用いられる音声通話情報と、無線通信回線を介したデータ通信に用いられる通信情報とを、本体装置１０との間において送受信する。
【００４５】
なお、このタブレット通信部２０４は、音声通話情報と、通信情報とのうち、音声通話情報を本体通信部１０４との間において送受信する構成であってもよい。すなわち、本体通信部１０４と、タブレット通信部２０４とは、音声通話情報及び通信情報の少なくとも一方の情報を送受信する構成であってもよい。このように構成することにより、無線通信装置１は、本体装置１０が音声通話機能を提供し、タブレット装置２０がデータ通信機能を提供するように機能を振り分けることができる。また、無線通信装置１は、本体装置１０が音声通話機能を提供し、タブレット装置２０が音声通話機能と、データ通信機能とを提供するように機能を振り分けることもできる。すなわち、無線通信装置１は、本体装置１０と、タブレット装置２０とにおいて、相互に異なる機能を提供することができる。これにより、無線通信装置１によれば、タッチパネル操作に慣れているユーザに対してはタブレット装置２０によって機能を提供し、タッチパネル操作に慣れていないユーザに対しては本体装置１０によって機能を提供することができる。すなわち、無線通信装置１によれば、ユーザの特性にあわせた機能を提供することができる。
【００４６】
ここで、タッチパネル操作に慣れていないユーザに対して、電話の発信や着信の操作をタッチパネルによって行わせるようにした場合には、ユーザの使い勝手が低下する場合がある。一方、無線通信装置１によれば、ユーザの特性にあわせた機能を提供することができるため、使い勝手の低下を抑止しつつ、様々な機能を提供することができる。
【００４７】
なお、タブレット装置２０は、タブレット音検出部２０７と、タブレット音出力部２０８とを備えていてもよい。
タブレット音検出部２０７は、マイクを備えており、このマイクによって取得した音声情報をタブレット制御部２０３に供給する。また、タブレット音出力部２０８は、スピーカを備えており、タブレット制御部２０３から供給される情報に基づく音を、このスピーカから出力する。タブレット装置２０は、これらタブレット音検出部２０７と、タブレット音出力部２０８とを備えることにより、音声通話や音声検索などの機能を提供することができる。
【００４８】
［無線通信装置の動作の一例］
次に、図３から図１０を参照して、無線通信装置１の動作の一例について説明する。
図３は、本実施形態の無線通信装置１による処理の流れの一例を示す流れ図である。無線通信装置１は、脱着状態判定処理、音声通話処理、及びデータ通信処理を繰り返し実行する。なお、無線通信装置１は、これらの処理以外の処理を実行してもよい。音声通話処理とは、無線基地局３を介して、他の通信装置２との間において音声通話を行う処理である。また、データ通信処理とは、無線基地局３を介して、他の通信装置２との間においてデータ通信を行う処理である。以下、脱着状態判定処理の具体例について説明する。
【００４９】
［脱着状態判定処理（装着状態／非装着状態）］
脱着状態判定処理とは、本体装置１０にタブレット装置２０が装着されている装着状態であるか、装着されていない非装着状態であるかを判定して、無線通信装置１の動作モードを装着モードと非装着モードとのいずれかに設定する処理である。本体装置１０とタブレット装置２０とのいずれが、脱着状態判定処理を実行してもよい。この一例においては、タブレット装置２０が、脱着状態判定処理を実行する場合について説明する。この場合、本体装置１０は、タブレット装置２０に対して保持状態情報を送信する（ステップＳ１１）。また、タブレット装置２０は、本体装置１０から送信された保持状態情報に基づいて、脱着状態判定処理を実行する（ステップＳ２１）。この脱着状態判定処理の詳細について、図４を参照して説明する。
【００５０】
図４は、本実施形態の無線通信装置１による脱着状態判定処理の流れの一例を示す流れ図である。
本体装置１０の保持検出部１０９は、タブレット装置２０が保持部１０１に保持されているか否かを検出する（ステップＳ１１１０）。保持検出部１０９は、保持されているか否かの検出結果を示す保持状態情報を、本体制御部１０３に出力する。本体制御部１０３は、保持検出部１０９から取得した保持状態情報を、本体通信部１０４を介して、タブレット装置２０に送信する（ステップＳ１１２０）。
【００５１】
タブレット装置２０のタブレット制御部２０３は、ステップＳ１１２０において送信された保持状態情報を、タブレット通信部２０４を介して受信する（ステップＳ２１１０）。次に、タブレット制御部２０３は、受信した保持状態情報に基づいて、装着状態か非装着状態かを判定する（ステップＳ２１２０）。具体的には、タブレット制御部２０３は、保持状態情報が、タブレット装置２０が保持部１０１に保持されていることを示す場合（ステップＳ２１２０；Ｙｅｓ）、装着状態であると判定し、動作モードを装着モードに設定する（ステップＳ２１３０）。一方、タブレット制御部２０３は、保持状態情報が、タブレット装置２０が保持部１０１に保持されていないことを示す場合（ステップＳ２１２０；Ｎｏ）、非装着状態であると判定し、動作モードを非装着モードに設定する（ステップＳ２１４０）。
装着モードと非装着モードはそれぞれ、タブレット制御部２０３の動作モードの１つである。動作モードが装着モード又は非装着モードに設定されたタブレット制御部２０３は、動作モードに応じた各種の処理を実行する。
【００５２】
［装着モードと非装着モードにおける無線通信装置１の動作例１］
次に、図５から図７を参照して、動作モードが装着モードと非装着モードにおける無線通信装置１の動作例１について説明する。この動作例１では、タブレット装置２０の装着モードと非装着モードのそれぞれにおける画面制御について説明する。
図５は、本実施形態の無線通信装置１の動作例１におけるタブレット装置２０の画面制御の流れの一例を示す図である。なお、図５において破線によって囲まれた処理は、図４を参照して説明した処理と同一であるため、同一の符号を付してその説明を省略する。なお、タブレット制御部２０３と、本体制御部１０３との間の送受信には、タブレット通信部２０４と、本体通信部１０４とが介在するが、以下ではその説明を省略する。
【００５３】
本体制御部１０３は、受話器保持検出部１１１の検出結果、つまり、受話器１１０のフック状態を示す情報を、受話器保持検出部１１１から取得する（ステップＳ１２０５）。この受話器１１０のフック状態を示す情報は、オンフックか、オフフックかのいずれかを示す。フック状態を示す情報がオフフックを示す場合には、このフック状態を示す情報は、ユーザが通話するために、受話器１１０を本体装置１０から取り外したことを示している。つまり、フック状態を示す情報がオフフックを示す場合には、受話器１１０が持ち上げられたことを示している。
【００５４】
次に、本体制御部１０３は、ステップＳ１２０５において取得したフック状態を示す情報をタブレット制御部２０３に送信する（ステップＳ１２１０）。
【００５５】
タブレット制御部２０３は、ステップＳ１２１０において送信されたフック状態を示す情報を受信する（ステップＳ２２１０）。タブレット制御部２０３は、フック状態を示す情報を受信することにより、受話器１１０が持ち上げられたか否かを判定することができる。
【００５６】
次に、タブレット制御部２０３は、ステップＳ２１１０において受信された保持状態情報に基づいて、装着状態であるか否かを判定する（ステップＳ２２２０）。タブレット制御部２０３は、装着状態であると判定した場合（ステップＳ２２２０；Ｙｅｓ）には、処理をステップＳ２２３０に進める。また、タブレット制御部２０３は、装着状態でないと判定した場合（ステップＳ２２２０；Ｎｏ）には、処理をステップＳ２２６０に進める。
【００５７】
ステップＳ２２３０及びステップＳ２２６０において、タブレット制御部２０３は、受話器１１０のフック状態を示す情報に基づいて、受話器１１０がオフフック状態であるか否かを判定する。まず、ステップＳ２２２０において装着状態と判定された場合、すなわち、ステップＳ２２３０以降の処理について説明する。
【００５８】
タブレット制御部２０３は、受話器１１０のフック状態を示す情報に基づいて、受話器１１０がオフフック状態であるか否かを判定する（ステップＳ２２３０）。タブレット制御部２０３は、受話器１１０がオフフック状態でないと判定した場合（ステップＳ２２３０；Ｎｏ）には、処理をステップＳ２２４０に進める。つまり、このステップＳ２２４０とは、装着状態かつオンフック状態における処理である。タブレット制御部２０３は、電話メニュー画像ＰＴｍを表示部２０１に表示し（ステップＳ２２４０）、処理を終了する。
【００５９】
なお、この一例において、表示部２０１がバックライトを備えているため、電話メニュー画像ＰＴｍを表示部２０１に表示することには、液晶ディスプレイに電話メニュー画像ＰＴｍが表示されている状態において、バックライトを点灯させることも含まれる。具体的には、タブレット制御部２０３は、ステップＳ２２４０において、バックライトの点灯及び消灯を制御する。より具体的には、タブレット制御部２０３は、まず、バックライトを消した状態にして、電話メニュー画像ＰＴｍを液晶ディスプレイに表示する。次に、バックライトの点灯条件が成立した場合、タブレット制御部２０３は、バックライトを点灯させる。ここで、バックライトの点灯条件には、（Ａ）ユーザが無線通信装置１に対して何らかの操作を行った場合に点灯させることと、（Ｂ）ユーザが無線通信装置１に接近した場合に点灯させることとが含まれる。上述の（Ａ）において、操作検出部２０２がユーザの操作を検出した場合に、バックライトを点灯させるとしてもよい。また、上述の（Ｂ）において、本体装置１０又はタブレット装置２０のいずれかが接近センサーを備えている場合には、この接近センサーがユーザの接近を検出した場合に、バックライトを点灯させるとしてもよい。
【００６０】
一方、タブレット制御部２０３は、受話器１１０がオフフック状態であると判定した場合（ステップＳ２２３０；Ｙｅｓ）には、処理をステップＳ２２５０に進める。つまり、このステップＳ２２５０とは、装着状態かつオフフック状態における処理である。タブレット制御部２０３は、電話帳画像ＰＴｄを表示部２０１に表示し（ステップＳ２２５０）、処理を終了する。
【００６１】
ここで、装着状態において、表示部２０１に表示される画像の一例について、図６を参照して説明する。図６は、本実施形態の表示部２０１に表示される電話メニュー画像ＰＴｍ及び電話帳画像ＰＴｄの具体例を示す模式図である。装着状態且つオンフック状態の場合、すなわち、本体装置１０にタブレット装置２０が装着されたまま受話器１１０が持ち上げられていない場合、タブレット制御部２０３は、表示部２０１に電話メニュー画像ＰＴｍを表示する（図６（Ａ）を参照）。また、装着状態且つオフフック状態の場合、すなわち、本体装置１０にタブレット装置２０が装着されていない状態で受話器１１０が持ち上げられている場合、タブレット制御部２０３は、表示部２０１に電話帳画像ＰＴｄを表示する（図６（Ｂ）を参照）。
【００６２】
ここで、電話メニュー画像ＰＴｍと電話帳画像ＰＴｄの具体例について、図６（Ａ）及び図６（Ｂ）を参照して説明する。
図６（Ａ）に示した電話メニュー画像ＰＴｍには、電話メニュータイトル画像Ｐ１０と、日付時刻画像Ｐ１１と、電話アイコンＰ１２と、ＦＡＸアイコンＰ１３とが含まれる。
電話メニュータイトル画像Ｐ１０とは、表示部２０１が表示する画像が、電話メニュー画像ＰＴｍであることを示す画像である。日付時刻画像Ｐ１１とは、現在の日付及び時刻を示す画像である。
電話アイコンＰ１２とは、電話サブメニュー画像（不図示）を表示するためのアイコンである。ＦＡＸアイコンＰ１３とは、ＦＡＸサブメニュー画像（不図示）を表示するためのアイコンである。
【００６３】
また、電話メニュー画像ＰＴｍには、戻るアイコンＰ１７と、ホームアイコンＰ１８と、ヘルプアイコンＰ１９とが含まれる。
戻るアイコンＰ１７とは、表示部２０１が表示する画像を、過去に表示された画像（例えば、１枚前の画像）に戻して表示させるためのアイコンである。ホームアイコンＰ１８とは、表示部２０１が表示する画像を、ホーム画像（例えば、電話メニュー画像ＰＴｍ）に戻して表示させるためのアイコンである。
ヘルプアイコンＰ１９とは、無線通信装置１の操作方法をユーザに示すヘルプ画像を表示するためのアイコンである。
【００６４】
また、無線通信装置１が各種機能についての設定変更機能を備えている場合がある。この場合には、電話メニュー画像ＰＴｍには、設定アイコンＰ１６が含まれる。設定アイコンＰ１６とは、設定サブメニュー画像（不図示）を表示するためのアイコンである。
【００６５】
また、図６（Ｂ）に示した電話帳画像ＰＴｄには、機能アイコン（アイコンＰ２０〜アイコンＰ２３）と、通信相手のユーザ選択アイコンＰ２４とが含まれる。機能アイコンとは、相手選択機能を選択するためのアイコンである。一例として、この無線通信装置１は、４種類の相手選択機能を備えている。この一例の場合、タブレット記憶部２０６には、電話帳データが予め記憶されている。この電話帳データには、登録済みユーザの氏名、ふりがな、電話番号、通信回数、最後に通信した日時などが含まれる。
【００６６】
[相手選択機能の例（その１）]
無線通信装置１が備える相手選択機能のうち、通信相手として選択される頻度が高いユーザを表示する機能について説明する。ここで、アイコンＰ２０とは、通信相手として選択される頻度が高いユーザを表示するためのアイコンである。タブレット制御部２０３は、タブレット記憶部２０６から電話帳データを読み出して、通信回数の多い順に登録済みユーザをソートする。アイコンＰ２０がタップ操作されると、タブレット制御部２０３は、ソートされた登録済みユーザのうち、通信回数の多い上位数名をユーザ選択アイコンＰ２４として表示する。この図６（Ｂ）に示す具体例の場合、電話帳データに含まれる登録済みユーザには、Ａさん、Ｂさん、Ｃさんが含まれる。また、この具体例の場合、Ａさん、Ｂさん、Ｃさんの順に通信回数が多い。タブレット制御部２０３は、Ａさんを選択するための画像Ｐ２４−１と、Ｂさんを選択するための画像Ｐ２４−２と、Ｃさんを選択するための画像Ｐ２４−３とを表示する。
なお、 タブレット制御部２０３は、通信回数を曜日や時間帯（例えば、朝、昼、夜など。）に応じて計数してもよい。この場合、タブレット制御部２０３は、アイコンＰ２０がタップ操作された曜日や時間帯に応じて、通信回数の多い順に登録済みユーザをソートする。このように構成することにより、タブレット制御部２０３は、ユーザによって選択されやすい相手を、より適切に表示することができる。
【００６７】
[相手選択機能の例（その２）]
無線通信装置１が備える相手選択機能のうち、電話帳に登録されているユーザをふりがな順に表示する機能について説明する。ここで、アイコンＰ２１とは、ふりがな順にユーザを表示するためのアイコンである。タブレット制御部２０３は、タブレット記憶部２０６から電話帳データを読み出して、ふりがな順に登録済みユーザをソートする。アイコンＰ２１がタップ操作されると、タブレット制御部２０３は、ソートされた登録済みユーザのうち、数名をユーザ選択アイコンＰ２４として表示する。
【００６８】
[相手選択機能の例（その３）]
無線通信装置１が備える相手選択機能のうち、通信履歴に基づいてユーザを表示する機能について説明する。ここで、アイコンＰ２２とは、通信履歴に基づいてユーザを表示するためのアイコンである。タブレット制御部２０３は、タブレット記憶部２０６から電話帳データを読み出して、最後に通信した日時順に登録済みユーザをソートする。アイコンＰ２２がタップ操作されると、タブレット制御部２０３は、ソートされた登録済みユーザのうち、数名をユーザ選択アイコンＰ２４として表示する。
なお、 上述のアイコンＰ２２が、通信履歴のうち、発信履歴と、着信履歴とを分けて、ユーザを表示するアイコンであってもよい。
【００６９】
[相手選択機能の例（その４）]
無線通信装置１が備える相手選択機能のうち、ダイヤル入力機能について説明する。ここで、アイコンＰ２３とは、ダイヤル入力機能を選択するためのアイコンである。アイコンＰ２２がタップ操作されると、タブレット制御部２０３は、ダイヤル入力用のテンキー画像（不図示）を表示する。
【００７０】
図５に戻り、ステップＳ２２２０において非装着状態と判定された場合、すなわち、ステップＳ２２６０以降の処理について説明する。
タブレット制御部２０３は、受話器１１０のフック状態を示す情報に基づいて、受話器１１０がオフフック状態であるか否かを判定する（ステップＳ２２６０）。
タブレット制御部２０３は、受話器１１０がオフフック状態でないと判定した場合（ステップＳ２２６０；Ｎｏ）、ホーム画像ＰＨｍを表示部２０１に表示する（ステップＳ２２７０）。
一方、タブレット制御部２０３は、受話器１１０がオフフック状態であると判定した場合（ステップＳ２２６０；Ｙｅｓ）、ホーム画像ＰＨｍに重ねて、通話中画像ＰＣｌを表示部２０１に表示する（ステップＳ２２８０）。
【００７１】
ここで、非装着状態において、表示部２０１に表示される画像の一例について、図７を参照して説明する。図７は、本実施形態の表示部２０１に表示されるホーム画像ＰＨｍ、及びホーム画像ＰＨｍに重ねて表示される通話中画像ＰＣｌの具体例を示す模式図である。
【００７２】
（ステップＳ２２６０；Ｙｅｓ）の場合、すなわち非装着状態且つオンフック状態である場合（図７（Ａ）の場合）、タブレット制御部２０３は、ホーム画像ＰＨｍを表示部２０１に表示する。このホーム画像ＰＨｍについては、図１を参照して既に説明したため、その説明を省略する。
一方、（ステップＳ２２６０；Ｎｏ）の場合、すなわち非装着状態且つオフフック状態である場合（図１０（Ｂ）の場合）、タブレット制御部２０３は、ホーム画像ＰＨｍに重ねて、通話中画像ＰＣｌを表示部２０１に表示する。この通話中画像ＰＣｌとは、本体装置１０の受話器１１０によって音声通話中であることを示す画像である。
【００７３】
このように、タブレット装置２０は、図５に示した処理によって、装着モードと非装着モードとのいずれのモードであるかに応じて表示部２０１に表示する画像を切り換える。これにより、無線通信装置１は、装着状態と非装着状態のいずれであるかに応じて適した画像をタブレット装置２０の表示部２０１に表示させることができ、その結果、固定電話の使い勝手を踏襲しつつ、タブレット装置２０により高速データ通信回線を使用した機能を提供することができる。
【００７４】
［装着モードと非装着モードにおけるタブレット装置２０の動作例２］
次に、図８を参照して、動作モードが装着モードと非装着モードにおけるタブレット装置２０の動作例２について説明する。この動作例２では、タブレット装置２０の装着モードと非装着モードのそれぞれにおける着信音制御について説明する。図８は、本実施形態の無線通信装置の動作例２におけるタブレット装置の着信音制御の流れの一例を示す図である。なお、この着信音には、音声通話の着信音と、データ通信の着信音とのうちいずれか一方又は両方が含まれる。また、この着信音は、これらに限られず、他の着信音であってもよい。
まず、タブレット制御部２０３は、動作モードが変更されるまで待機する（ステップＳ２４１０）。タブレット制御部２０３は、動作モードが変更されたと判定した場合（ステップＳ２４１０；Ｙｅｓ）、現在の動作モードを示す情報を本体装置１０の本体制御部１０３に送信する（ステップＳ２４２０）。
本体装置１０の本体制御部１０３は、ステップＳ２４２０において送信された動作モードを示す情報を、本体通信部１０４を介して受信する（ステップＳ１４１０）。以下では、まず、ステップＳ１４１０において動作モードを示す情報を本体制御部１０３が受信した場合、すなわち、ステップＳ１４１０以降の処理について説明する。
【００７５】
本体制御部１０３は、ステップＳ１４１０において受信された動作モードを示す情報に基づいて、タブレット制御部２０３の現在の動作モードが装着モードか否かを判定する（ステップＳ１４２０）。
本体制御部１０３は、タブレット制御部２０３の現在の動作モードが装着モードであると判定した場合（ステップＳ１４２０；Ｙｅｓ）、本体制御部１０３は、本体音出力部１０８から出力する着信音を装着モードに応じた着信音に変更する（ステップＳ１４３０）。
一方、本体制御部１０３は、タブレット制御部２０３の現在の動作モードが装着モードではないと判定した場合（ステップＳ１４２０；Ｎｏ）、本体音出力部１０８から出力する着信音を非装着モードに応じた着信音に変更する（ステップＳ１４４０）。
【００７６】
次に、ステップＳ２４２０において動作モードを示す情報をタブレット制御部２０３が本体制御部１０３に送信した後の処理、すなわち、ステップＳ２４３０以降の処理について説明する。
タブレット制御部２０３は、ステップＳ２４１０において判定された現在の動作モードに基づいて、現在の動作モードが装着モードか否かを判定する（ステップＳ２４３０）。
タブレット制御部２０３は、現在の動作モードが装着モードであると判定した場合（ステップＳ２４３０；Ｙｅｓ）、タブレット音出力部２０８から出力する着信音を装着モードに応じた着信音に変更する（ステップＳ２４４０）。
一方、タブレット制御部２０３は、現在の動作モードが装着モードではないと判定した場合（ステップＳ２４３０；Ｎｏ）、タブレット音出力部２０８から出力する着信音を非装着モードに応じた着信音に変更する（ステップＳ２４５０）。
【００７７】
ステップＳ１４３０と、ステップＳ１４４０と、ステップＳ２４４０と、ステップＳ２４５０とのそれぞれにおける着信音の変更には、本体音出力部１０８から出力する着信音の種類を装着モードに応じた着信音の種類に変更することと、本体音出力部１０８から出力する着信音の音量を装着モードに応じた着信音の音量に変更することとのうちいずれか一方又は両方が含まれる。なお、これらの着信音の変更には、着信音のテンポ等の他の特性の変更が含まれてもよい。また、装着モードに応じた着信音の種類と、装着モード又は非装着モードに応じた着信音の音量とは、ユーザにより本体制御部１０３とタブレット制御部２０３とのうちいずれか一方又は両方に設定される構成であってもよく、予め本体制御部１０３とタブレット制御部２０３とのうちのいずれか一方又は両方に登録されている構成であってもよい。
【００７８】
また、これらの着信音の変更には、鳴動状態を装着モード又は非装着モードに応じた鳴動状態に切り換えることが含まれてもよい。この場合、装着モード又は非装着モードに応じた着信音の鳴動状態は、ユーザにより本体制御部１０３とタブレット制御部２０３とのうちのいずれか一方又は両方に設定される構成であってもよく、予め本体制御部１０３とタブレット制御部２０３とのうちのいずれか一方又は両方に登録されている構成であってもよい。この一例において、本体音出力部１０８から出力する着信音の鳴動状態は、本体音出力部１０８から着信音が出力されない状態（オフ）と、本体音出力部１０８から着信音が出力される状態（オン）とのうちのいずれかのことを示す。また、タブレット音出力部２０８から出力する着信音の鳴動状態は、タブレット音出力部２０８から着信音が出力されない状態（オフ）と、タブレット音出力部２０８から着信音が出力される状態（オン）とのうちのいずれかのことを示す。
【００７９】
例えば、本体制御部１０３は、装着モード及び非装着モードの両方において本体音出力部１０８から着信音を出力させる。また、タブレット制御部２０３は、装着モードではタブレット音出力部２０８から着信音を出力（鳴動）させず、非装着モードではタブレット音出力部２０８から着信音を出力させる。このようにすることで、タブレット制御部２０３は、本体装置１０にタブレット装置２０が装着されている状態で二重に着信音が出力されないようにすることができる。また、タブレット制御部２０３は、ユーザがタブレット装置２０とともに本体装置１０から離れた位置に居るような場合であっても、より確実に音声通話の着信をユーザに知らせることができる。
【００８０】
なお、装着モード又は非装着モードに応じた着信音の鳴動状態は、ユーザにより本体制御部１０３とタブレット制御部２０３とのうちいずれか一方又は両方に設定される構成であってもよく、予め本体制御部１０３とタブレット制御部２０３とのうちいずれか一方又は両方に登録されている構成であってもよい。
【００８１】
ステップＳ２４４０及びステップＳ２４５０の後、タブレット制御部２０３は、処理をステップＳ２４１０に戻し、再び動作モードが変更されるまで待機する。
【００８２】
以上説明したように、本実施形態における無線通信装置１では、タブレット制御部２０３が取得した保持情報に基づいて、タブレット装置２０の動作を変更する。これにより、無線通信装置１は、固定電話の使い勝手を踏襲しつつ、タブレット装置２０の脱着状態に応じて適した動作をタブレット装置２０に行わせることができる。例えば、タブレット装置２０が装着状態の場合、ユーザは、タブレット装置２０を固定電話のディスプレイとして利用している可能性が高い。また、タブレット装置２０が非装着状態の場合、ユーザは、タブレット装置２０をデータ通信のユーザインタフェイスとして利用している可能性が高い。このような理由から、無線通信装置１は、タブレット装置２０の脱着状態に応じて適した動作をタブレット装置２０に行わせることができる結果として、ユーザの利便性を向上させることができる。
【００８３】
また、無線通信装置１は、タブレット制御部２０３が、タブレット音出力部２０８が音声通話又はデータ通信の着信音を出力し、タブレット制御部２０３が、タブレット音出力部２０８から出力する着信音を保持情報に応じて変更する。これにより、無線通信装置１は、装着状態におけるタブレット装置２０の着信音と、非装着状態におけるタブレット装置２０の着信音とを変えることができる。
【００８４】
また、無線通信装置１は、タブレット制御部２０３が、タブレット音出力部２０８から出力する着信音の鳴動状態をオンとオフのうちのいずれかに保持情報に応じて切り換える。例えば、タブレット制御部２０３は、装着モードではタブレット音出力部２０８から着信音を出力（鳴動）させず、非装着モードではタブレット音出力部２０８から着信音を出力させる。これにより、無線通信装置１は、本体装置１０にタブレット装置２０が装着されている状態で二重に着信音が出力されないようにすることができる。また、無線通信装置１は、ユーザがタブレット装置２０とともに本体装置１０から離れた位置に居るような場合であっても、より確実に音声通話の着信をユーザに知らせることができる。
【００８５】
また、無線通信装置１は、タブレット制御部２０３が、タブレット音出力部２０８から出力する着信音の種類を保持情報に応じて変更する。これにより、無線通信装置１は、例えば、装着状態におけるタブレット装置２０の着信音の音色やメロディーと、非装着状態におけるタブレット装置２０の着信音の音色やメロディーとを変えることができる。その結果、例えば、無線通信装置１は、タブレット装置２０が装着状態か否かを、本体装置１０の着信音の音色やメロディーに対してタブレット装置２０の着信音の音色やメロディーを変えることによってユーザに知らせることができる。そして、無線通信装置１は、タブレット装置２０が非装着状態の場合且つユーザがタブレット装置２０を見失っている場合、タブレット装置２０の位置を着信音によってユーザに知らせることができる。
【００８６】
また、無線通信装置１は、タブレット制御部２０３が、表示部２０１に表示させる画像を保持情報に応じて変更する。これにより、無線通信装置１は、装着状態において表示部２０１に表示させる画像と、非装着状態において表示部２０１に表示させる画像とを変えることができる。例えば、無線通信装置１は、表示部２０１に表示させる画像を、装着状態であるか非装着状態であるかに応じて、ユーザが優先的に使いたい機能を実行する画像に切り換えることができる。その結果、無線通信装置１は、ユーザの利便性を向上させることができる。
【００８７】
また、無線通信装置１は、本体制御部１０３が取得した保持情報に基づいて、本体装置１０の動作を変更する。これにより、無線通信装置１は、装着状態における本体装置１０の動作と、非装着状態における本体装置１０の動作を変えることができる。
【００８８】
また、無線通信装置１は、本体音出力部１０８から出力する着信音を保持情報に応じて変更する。これにより、無線通信装置１は、装着状態における本体装置１０の着信音と、非装着状態における本体装置１０の着信音とを変えることができる。
【００８９】
また、無線通信装置１は、本体音出力部１０８から出力する着信音の鳴動状態をオンとオフのうちのいずれかに保持情報に応じて切り換える。例えば、本体制御部１０３は、装着モード及び非装着モードの両方においてタブレット音出力部２０８から着信音を出力させる。これにより、無線通信装置１は、本体装置１０にタブレット装置２０が装着されている状態で二重に着信音が出力されないようにすることができる。また、無線通信装置１は、ユーザがタブレット装置２０とともに本体装置１０から離れた位置に居るような場合であっても、より確実に音声通話の着信をユーザに知らせることができる。
【００９０】
また、無線通信装置１は、本体音出力部１０８から出力する着信音の種類を保持情報に応じて変更する。これにより、無線通信装置１は、例えば、装着状態における本体装置１０の着信音の音色やメロディーと、非装着状態における本体装置１０の着信音の音色やメロディーとを変えることができる。その結果、例えば、無線通信装置１は、タブレット装置２０が装着状態か否かを、タブレット装置２０の着信音の音色やメロディーに対して本体装置１０の着信音の音色やメロディーを変えることによってユーザに知らせることができる。そして、無線通信装置１は、タブレット装置２０が非装着状態の場合且つユーザがタブレット装置２０を見失っている場合、タブレット装置２０の位置を着信音によってユーザに知らせることができる。
【００９１】
ここで、無線基地局３と通信を行う無線通信モジュール２０５が、本体装置１０ではなく、タブレット装置２０に備えられている場合について説明する。この場合、本体装置１０が音声通話中に、タブレット装置２０が移動されて通信可能距離を超えると、本体装置１０の音声通話が途絶する場合がある。したがって、無線通信装置１は、タブレット装置２０を使用するユーザに対して、タブレット装置２０と本体装置１０とが通信中であることを通知することが望ましい。
【００９２】
本実施形態の無線通信装置１は、タブレット装置２０と本体装置１０とが通信中である場合に、タブレット装置２０と本体装置１０とが通信中であることを通知する画像を、表示部２０１に表示する。これにより、無線通信装置１は、タブレット装置２０を使用するユーザに対して、タブレット装置２０と本体装置１０とが通信中であることを通知する。具体的には、上述したように、本体装置１０が音声通話中である場合、すなわち、タブレット装置２０と本体装置１０とが通信中である場合に、表示部２０１に通話中画像ＰＣｌを表示する。
また、無線通信装置１は、タブレット装置２０と本体装置１０との間の通信が開始されたことを通知する画像、及びタブレット装置２０と本体装置１０との間の通信が終了されたことを通知する画像を、表示部２０１に表示してもよい。
【００９３】
このように構成することにより、無線通信装置１は、本体装置１０の使い勝手の低下を抑止しつつ、タブレット装置２０によって様々な機能を提供することができる。
【００９４】
なお、上述の説明において、本体通信部１０４とタブレット通信部２０４との間が無線通信によって接続されている場合について説明したが、これに限られない。本体通信部１０４とタブレット通信部２０４との間が有線通信によって接続される構成であってもよい。また、この構成の場合、本体装置１０と、タブレット装置２０とがいずれも通信用の電気接点を備えており、タブレット装置２０が本体装置１０の保持部１０１に保持されている場合にのみ、この電気接点どうしが接触するように構成されていてもよい。このように構成することにより、無線通信装置１は、タブレット装置２０が本体装置１０に装着されている場合には、有線通信によって通信する。また、無線通信装置１は、タブレット装置２０が本体装置１０に装着されていない場合には、無線通信によって通信する。すなわち、このように構成することにより、無線通信装置１は、タブレット装置２０が本体装置１０に装着されているか否かによって、無線通信と有線通信とを切り換えることができる。ここで、有線通信は、無線通信に比べて高い速度によって通信可能である場合がある。上述した構成にすることにより、無線通信装置１は、タブレット装置２０が本体装置１０に装着されているか否かにより、本体装置１０とタブレット装置２０との間の通信速度を切り換えることができる。
【００９５】
以上、本発明の実施形態及びその変形を説明したが、これらの実施形態及びその変形は、例として提示したものであり、発明の範囲を限定することは意図していない。これら実施形態及びその変形は、その他の様々な形態で実施されることが可能であり、発明の要旨を逸脱しない範囲で、種々の省略、置き換え、変更を行うことができる。これら実施形態及びその変形は、発明の範囲や要旨に含まれると同時に、特許請求の範囲に記載された発明とその均等の範囲に含まれるものである。
【００９６】
なお、上述の各装置は内部にコンピュータを有している。そして、上述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００９７】
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００９８】
１…無線通信装置、１０…本体装置、１０１…保持部、１０３…本体制御部、１０４…本体通信部、１１０…受話器、２０…タブレット装置、２０１…表示部、２０２…操作検出部、２０３…タブレット制御部、２０４…タブレット通信部、２０５…無線通信モジュール
【図１】
2016178510.tif 000003
【図２】
2016178510.tif 000004
【図３】
2016178510.tif 000005
【図４】
2016178510.tif 000006
【図５】
2016178510.tif 000007
【図６】
2016178510.tif 000008
【図７】
2016178510.tif 000009
【図８】
2016178510.tif 000010